(57)【特許請求の範囲】
【請求項１】
光ディスクに記録されているサブコードデータを読み出し、
前記サブコードデータに含まれるインデックスデータを記憶し、
再生する光ディスクのリードインエリアに記録されている各トラックの絶対開始時間と前記インデックスデータの各インデックス番号００の開始時間を比較し、
各トラックの絶対時間の全てが各インデックス番号００の開始時間と一致する場合に記憶された前記インデックスデータを読み出し、
読み出した前記インデックスデータに基づいて光ディスクを再生することを特徴とする光ディスク再生方法。
【請求項２】
光ディスクに記録されたデータを再生する再生手段と、
前記再生手段が再生したデータに含まれるサブコードデータのインデックスデータを記憶する記憶手段とを備え、
再生する光ディスクのリードインエリアに記録されている各トラックの絶対開始時間と前記インデックスデータの各インデックス番号００の開始時間を比較し各トラックの絶対時間の全てが各インデックス番号００の開始時間と一致する場合に記憶された前記インデックスデータを読み出し当該インデックスデータに基づいて光ディスクを再生するよう前記再生手段を制御する制御手段とを備えることを特徴とする光ディスク再生装置。
【請求項３】
請求項２記載の光ディスク再生装置において、前記制御手段が前記記憶手段から読み出した前記インデックスデータを表示する表示手段を備えることを特徴とする光ディスク再生装置。
【発明の詳細な説明】
【０００１】
【発明の属する技術分野】
本発明は、光ディスク毎のインデックスデータを記憶部から読み出し、インデックスデータに基づいて光ディスクのインデックス再生を行う光ディスク再生装置に関する。
【０００２】
【従来の技術】
放送局やレコーディングスタジオなどにおいて、コンパクトディスクの各曲をインデックス単位で再生したい場合がある。しかし、ＴＯＣ（Table Of Contents）には各トラックのインデックスに関するデータが記録されていない。
【０００３】
図５は、コンパクトディスクのＴＯＣとサブコードデータの構造図である。ＴＯＣには、トラックと呼ばれる楽章番号（ＴＮＯ）とこの楽章番号の相対時間データである分（ＭＩＮ）、秒（ＳＥＣ）、フレーム（ＦＲＡＭＥ）及び絶対時間である分（ＰＭＩＮ）、秒（ＰＳＥＣ）、フレーム（ＰＦＲＡＭＥ）が記録されているがインデックスデータについては記録されていない。
【０００４】
一方、サブコードＱチャンネルデータ（以下サブコードデータという。）にはインデックス番号（Ｘ）とインデックス番号が変化する時間に関するデータ（以下インデックスデータという。）が記録されている。このため、光ディスク再生装置は、インデックスデータを得るため、ＴＯＣだけでなくインデックスデータを光ディスクから取り込む必要がある。
【０００５】
しかし、サブコードデータを読み込む動作は、ＴＯＣを読みとる場合と異なり時間を要する。これは、各インデックス番号が変化する近傍の時間データを正確に取り込む必要があるためである。そのため、取り込んだインデックスデータを記憶させ、今後の再生に使用したいという要請がある。この場合、光ディスクと光ディスクのインデックスデータとを対応させるように光ディスクを識別する必要がある。
【０００６】
このような、光ディスク毎に識別を行って、記憶部に記憶されたインデックスデータを用いてインデックスサーチ再生を行う先行技術が特開平６−２７５０５６号に開示されている。該公報に記載の技術では、光ディスクの識別に光ディスクに記録された情報の総時間、総チャプター数を用いて光ディスクを識別している。
【０００７】
従来技術の情報の総時間を用いる識別では、分、秒、フレーム各１バイトづつ計３バイトの識別データが必要となる。仮に光ディスクを１０００枚識別させるには３０００バイトの識別データを前もって記憶させる必要があり、記憶手段の記憶容量が限られているにもかかわらず占有量が大きすぎる。また、３バイト使用するにも拘わらず、識別データは、７５（分）×６０（秒）×７５（フレーム）＝３３７５００通りであり、３バイトのデータ全てを使用したときに識別できる１６７７７２１６通りと比較してデータの使用が効率的でない。更に、情報の総時間は３０分から７０分の範囲に分布する場合が多く、識別能力は低い。
【０００８】
また、従来技術の総チャプター数を用いる識別では、１チャプターから７９チャプターまでが現れるデータであって１バイトの識別データとなる。この場合識別データは１から７９までの７９通りしかなく、仮に光ディスク１００枚を識別させるには、確率的に１００枚につき１回以上同じ識別データとなる可能性があり、識別能力が低く識別データとしては不適切である。
【０００９】
従来の光ディスク再生装置におけるインデックス再生では、光ディスクの識別能力が低いため間違った光ディスクを再生するという欠点があった。例えば、最大インデックス番号が３のトラックを、最大インデックス番号が６あるものと誤って判断し、最大インデックス番号が６と表示した場合、インデックス５をサーチして初めてインデックス５がないことを発見する。
【００１０】
この場合、光ディスク再生装置がこのトラックにインデックス５がないと判断するのにある程度の時間を要する。そして、再生を中止するが、操作した人は何故ダイレクトインデクスサーチを中止したのかが判別できず、故障したと誤解するという欠点もあった。また、識別用のデータが必要であるため記憶容量が大容量になるという欠点があった。
【００１１】
【発明が解決しようとする課題】
ＴＯＣの読み込みにより光ディスクを識別し、インデクッスデータを用いて再生する光ディスク再生装置において、識別用データとインデックスデータを共通にして記憶容量を削減するとともに高い識別能力を持つ光ディスク再生装置を提供することを目的とする。
【００１２】
【課題を解決するための手段】
上記課題を解決するために、本願の請求項１記載の発明は、
光ディスク再生方法において、
光ディスクに記録されているサブコードデータを読み出し、
前記サブコードデータに含まれるインデックスデータを記憶し、
再生する光ディスクのリードインエリアに記録されている各トラックの絶対開始時間と前記インデックスデータの各インデックス番号００の開始時間を比較し、
各トラックの絶対時間の全てが各インデックス番号００の開始時間と一致する場合記憶された前記インデックスデータを読み出し、
読み出した前記インデックスデータに基づいて光ディスクを再生することを特徴とする。
【００１３】
また、本願の請求項２記載の発明は、
光ディスク再生装置において、
光ディスクに記録されたデータを再生する再生手段と、
前記再生手段が再生したデータに含まれるサブコードデータのインデックスデータを記憶する記憶手段とを備え、
前記制御手段は、再生する光ディスクのリードインエリアに記録されている各トラックの絶対開始時間と前記インデックスデータの各インデックス番号００の開始時間を比較し各トラックの絶対時間の全てが各インデックス番号００の開始時間と一致する場合記憶された前記インデックスデータを読み出し当該インデックスデータに基づいて光ディスクを再生するよう前記再生手段を制御する制御手段とを備えたことを特徴とする。
【００１４】
また、本願の請求項３記載の発明は、
請求項２記載の光ディスク再生装置において、前記制御手段が前記記憶手段から読み出した前記インデックスデータを表示する表示手段を備えることを特徴とする。
【００１５】
【発明の実施の形態】
図１は、本発明の一実施例の光ディスク再生装置のブロック図である。図２は、本実施例の光ディスク再生装置の制御部による識別に関する第１のフローチャートである。図３は、本実施例の光ディスク再生装置の制御部による識別に関する第２のフローチャートである。図４は、本実施例の光ディスク再生装置に用いるインデックスデータの構成図である。以下図１から図４を用いて説明する。
【００１６】
図１において、光ディスク１のリードインエリアにＴＯＣが、また、プログラムエリアに音楽情報が光学的に再生可能に記録されている。この光ディスク１は、スピンドルモータ２に設けられたターンテーブル３に載置され、光ディスク１と光ピックアップ４との相対位置が決定される。
【００１７】
図示しない再生指示部を操作して光ディスク１の再生を開始する。まず、スピンドルモータ２は、線速度一定制御（以下ＣＬＶ制御という。）により光ディスク１を回転させる。そして光ピックアップ４から再生レーザ光を照射して光ディスク１からディジタルデータを読み出す。
【００１８】
ディジタルデータは、ディジタルデータ処理回路５に入力される。ディジタルデータ処理回路は、ディジタルデータをＥＦＭ（Eight to Fourteen Modulation）復調、ＣＩＲＣ（Cross Interleave Reed-solomon Code）による誤り訂正を行ったのちにディジタルデータを分離し、制御部６へＴＯＣやサブコードデータを出力し、ディジタルオーディオデータ処理回路７へディジタルオーディオデータを出力する。
【００１９】
制御部６には、記憶部８、設定部９および表示部１０が接続されている。記憶部８は、インデックスデータを記憶する。設定部９は、ディジタルオーディオデータを再生するときの各種条件、例えば、音量、音高、再生速度などの再生条件を設定する。また、表示部１０では再生条件を表示する。
【００２０】
ディジタルオーディオ処理回路７では、入力されたディジタルオーディオデータをｎ倍オーバーサンプリングする。ディジタルオーディオ処理回路７から出力されたディジタルオーディオデータは、Ｄ／Ａ変換回路１１へ出力され、アナログオーディオ信号に変換される。このアナログオーディオ信号にはナイキスト周波数ごとに折り返されたイメージノイズが存在するため、ポストフィルタ１２でイメージノイズを取り除き、外部端子１３に出力する。
【００２１】
図２に本実施例の光ディスク再生装置の制御部６による識別に関する第１のフローチャートを示す。このフローチャートは、光ディスクから読み出したＴＯＣから識別データを作成し、また、サブコードデータからインデックスデータを作成し、記憶部に保存するフローチャートを示す。
【００２２】
ステップｓ１は、開始を示す。
ステップｓ２では、光ディスク再生装置の電源を入れて光ディスク再生装置を初期状態にする。
【００２３】
ステップｓ３では、光ディスク再生装置に光ディスクを載置する。光ディスクは図示しないローディング装置により光ディスク再生装置内へ引き込まれ、ターンテーブル３上に載置される。
ステップｓ４では、インデックスデータを記憶部８に記憶するか否かを選択する。記憶するならば、ステップｓ５へ進む。記憶しないならばステップｓ８へジャンプする。
【００２４】
ステップｓ５では、光ピックアップを移動させて、光ディスクからサブコードデータを読み込む。
ステップｓ６では、読み出したサブコードデータから各トラックのインデックスデータを作成する。
【００２５】
ステップｓ７では、各トラックのインデックスデータを記憶部８に記憶させる。
ステップｓ８は、終了である。この後、光ディスクの再生、または、他の光ディスクの登録データの作成等を行う。
【００２６】
図３に本実施例の光ディスク再生装置の制御部６による識別に関する第２のフローチャートを示す。このフローチャートは、光ディスクから読み出したＴＯＣに記録された各トラックの開始時間と記憶部に保存してあるインデックスデータのインデックス番号００の開始時間とを比較し、全てが一致するインデックスデータを制御部に読み込むフローチャートを示す。
【００２７】
ステップｓ１１は、開始を示す。
ステップｓ１２では、光ディスク再生装置の電源を入れて光ディスク再生装置を初期状態にする。
【００２８】
ステップｓ１３では、光ディスク再生装置に光ディスクを載置する。光ディスクは図示しないローディング装置により光ディスク再生装置内へ引き込まれ、ターンテーブル３上に載置される。
ステップｓ１４では、光ディスクからＴＯＣを読み出す。
【００２９】
ステップｓ１５では、ＴＯＣに記録された各トラックの開始時間を読み出す。ステップｓ１６では、光ディスクに記録された各トラックの開始時間と記憶部に保存してあるインデックスデータのインデックス番号００の開始時間とが全て一致するインデックスデータがあるか否かを判定するステップである。一致するインデックスデータがあるならばステップｓ１７へ進む。一致するインデックスデータがないならばステップｓ１８へ進む。
【００３０】
ステップｓ１７では、選択されたインデックスデータを記憶部８から制御部６へ読み出す。制御部６はこのインデックスデータを表示するよう表示部１０に指示する。
ステップｓ１８では、比較により一致しないこいとから登録されてない新しい光ディスクと認識し、光ディスク再生装置にあらためて登録するように表示部１０に表示する。
【００３１】
ステップｓ１９では、読み出したサブコードデータから各トラックのインデックスデータを作成する。
ステップｓ２０では、各トラックのインデックスデータを記憶部８に記憶させる。
【００３２】
ステップｓ２１では、表示された各トラックのインデックス番号からインデックスサーチしたいインデックス番号を選択し、インデックスサーチする。
ステップｓ２２は、終了を示す。この後、他の光ディスクの再生、または、光ディスク再生装置の停止を行う。
【００３３】
図４は、本実施例の光ディスク再生装置に用いる登録データの構成図である。ｋ枚の光ディスクのそれぞれに識別データが割り振られており、各光ディスク毎に光ディスクの全トラックに関するインデックスデータが記録されている。
【００３４】
本発明では、各トラックの開始時間とインデックスデータのインデックス番号００の開始時間とが全てが一致することを利用して識別するので識別用にデータを作成する必要がない。インデックスデータが再生用のデータと識別用のデータを兼ね備えるので記憶容量を削減することができる。
【００３５】
例えば、トラック１が３分２１秒１５フレーム、トラック２が４分３７秒２０フレームなど各トラックの再生開始時間を比較する識別である。総時間やチャプター数を用いる識別と比べ、複数トラックの開始時間が一致する光ディスクが存在する確率は低い。このため、高い識別能力を持たせることができる。
【００３６】
また、インデクッスデータを表示する表示部を設けたので、例えば各トラックの最大インデックス番号を表示することで、誤ったインデックス番号を入力する可能性が少なくなる。
【００３７】
以上のように、ＴＯＣを読み込むだけで光ディスクを認識し、光ディスクのサブコードデータを読み込むことなく各トラックのインデックスデータを光ディスク再生装置が認識し、インデックス番号単位でサーチすることが可能となる。
【００３８】
【発明の効果】
本発明では、識別用データとインデックスデータを共通にして記憶容量を削減するとともに高い識別能力を持たせた光ディスク再生装置を提供することができる。
【図面の簡単な説明】
【図１】本発明の一実施例の光ディスク再生装置のブロック図。
【図２】本実施例の光ディスク再生装置の制御部による識別に関する第１のフローチャート。
【図３】本実施例の光ディスク再生装置の制御部による識別に関する第２のフローチャート。
【図４】本実施例の光ディスク再生装置に用いる登録データの構成図。
【図５】コンパクトディスクのＴＯＣとサブコードデータの構成図。
【符号の説明】
１・・・・光ディスク
２・・・・スピンドルモータ
３・・・・ターンテーブル
４・・・・光ピックアップ
５・・・・ディジタルデータ処理回路
６・・・・制御部
７・・・・ディジタルオーディオデータ処理回路
８・・・・記憶部
９・・・・操作入力部
１０・・・表示部
１１・・・Ｄ／Ａ変換回路
１２・・・ポストフィルタ
【図１】
0003539837.tif 000002
【図２】
0003539837.tif 000003
【図３】
0003539837.tif 000004
【図４】
0003539837.tif 000005
【図５】
0003539837.tif 000006